(57)【要約】      （修正有）【課題】サージ電流とパルス電圧とを抑制する機能を有する省電力カードを提供する。【解決手段】略扁平状を形成するケース体１０の上部壁面と、底部壁面の面積がケース体の側壁表面の面積より大きく、ケース体１０に中空状の空間を有する。複数の感知素子２０をケース体１０の中空状の空間に収容することによって、係る中空状の空間を充填して置き、複数の感知素子２０をサージ電流とパルス電圧との抑制に使用し、電流の安定化効果を達成する。複数の感知素子２０は光波センシングの方式によって、スイッチ回路が導通された瞬間に形成するサージ電流とパルス電圧の変動範囲を軽減させスイッチ回路の電流を正常な稼働電力を影響することなく、回路の電磁波を吸収することができる。【選択図】図１
0003207773.tif 000002
【実用新案登録請求の範囲】
【請求項１】
ケース体と、複数の感知素子と、を含み、サージ電流とパルス電圧とを抑制する機能を有する省電力カードであって、
前記ケース体が略扁平状を形成し、前記ケース体の上部壁面と、底部壁面の面積が前記ケース体側壁の表面の面積より大きく、前記ケース体は中空状の空間を有し、
そのうち、取り付けるスイッチの大きさにより、前記ケース体の大きさを調整し、前記ケース体に感知面積を与え、
前記複数の感知素子を前記ケース体の中空状の空間に収容することによって、前記中空状の空間を充填し、前記複数の感知素子をサージ電流とパルス電圧との抑制に使用し、
前記複数の感知素子は光波センシングの方式によって、スイッチ回路が導通された瞬間に形成するサージ電流とパルス電圧との変動範囲を軽減し、前記スイッチ回路の正常な稼働電力に影響することなく、回路の電磁波を吸収し、
前記ケース体を前記スイッチに取り付け、前記スイッチを投入し、前記スイッチ回路が導通されたとき、前記ケース体内部の前記複数の感知素子によって、前記スイッチ回路で発生するサージ電流とパルス電圧とが抑制され、電流波形の上下が引き起こす電気エネルギーロスが軽減され、回路の電流を前記スイッチの後部側に接続された電気装置へと提供し、省電力であるとともに、前記スイッチの投入により引き起こされる有害な電磁放射線を軽減することを特徴とする省電力カード。
【請求項２】
前記ケース体の上部壁面と底部壁面をプラスチックシートより構成し、前記ケース体側壁の表面をスポンジ部材より構成されることを特徴とする、請求項１に記載の省電力カード。
【請求項３】
前記複数の感知素子は球状で、主にセラミック部材より構成されることを特徴とする、請求項１に記載の省電力カード。
【請求項４】
前記セラミック部材は酸化アルミニウム、酸化クロム、酸化ジルコニウム、酸化ケイ素のうちいずれか少なくとも一種より構成され、前記セラミック部材は高い硬度、高い機械強度、耐高温、耐高圧、耐摩耗、耐化学性及び高い絶縁性を有することを特徴とする、請求項３に記載の省電力カード。
【請求項５】
前記感知素子は精密高圧射出成形法、自動粉末成形法、押出成形法、鋳込み成形法のうちいずれか少なくとも１種から製造されることを特徴とする、請求項３に記載の省電力カード。
【考案の詳細な説明】
【技術分野】
【０００１】
本考案はサージ電流とパルス電圧とを抑制する機能を有する省電力カードに関する。
【背景技術】
【０００２】
一般的に電気系統はスイッチを投入して電気回路が導通される瞬間にサージ電流とパルス電圧を形成され、サージ電流が大きく、パルス電圧波形の上下振幅が大きすぎるため、回路に余分な電気エネルギーロスを形成してしまう。そのため、システム全体の利用可能な電気エネルギーがロスすることにより、電気が浪費され、余分な電気代を支出することとなり、電気の消費と電気使用コスト軽減の趣旨にそぐわない。
【考案の概要】
【考案が解決しようとする課題】
【０００３】
現在の市場における省電力方式は、主に電圧調整システムを使用しており、電圧を動的に調整する方式によって電気の供給量を改変させ、省電力の目的を達成する。しかし、この種の方式には回路が導通される瞬間のサージ電流とパルス電圧とによる電気エネルギーロスの問題を解決できない。さらに、この種の方式では電圧制御システム自体の構造設計に大きく左右されるため、設計に欠陥があると、電圧制御が不安定になるという問題を引き起こしやすく、回路全体のシステム内部の電気部品と機械設備に損傷を与える。さらに、降圧システムが往々にして、固有の設備回路構造を変更する必要がある他、定期的に整備が必要なため、全体の使用コストが高くなってしまう。
【課題を解決するための手段】
【０００４】
そのため、本考案よりサージ電流とパルス電圧との抑制機能を有する省電力カードを提供し、複数のセラミック部材からなる感知素子を扁平状のケース体に収容し、感知素子を用いて、電気導通された瞬間に引き起こすサージ電流とパルス電圧とを抑制し電流を安定させ、サージ電流とパルス電圧とによる電気エネルギーロスの問題を解消し、システム全体の電気エネルギーの使用効率を向上させ、省電力の目的を達成するとともに、電気使用コストを軽減できる。さらに、従来の降圧による省電力手段にあった、システム稼働の不安定さや設置コストの問題も解消される。本考案によれば、電磁放射線の発生を軽減し、人員の安全性が向上される。さらに、ケース体の構造が単純であり、取り付けが便利、既存設備の電気回路構造を修正する必要はなく、新たな整備コストも省ける。よって、本考案は、幅広く住宅、商店、事務所、工場、スーパーマーケット、レストラン、旅館など省電力が必要な環境に適用できる。
【図面の簡単な説明】
【０００５】
【図１】本考案の素子の組み合わせ態様図である。
【図２】本考案の素子の使用方法を示す図である。
【図３】図２のスイッチの外蓋が閉鎖されている態様を示す図である。
【考案を実施するための形態】
【０００６】
本考案による構造の組成、発揮しうる効果ならびに利点を図式と合わせて、好ましい実施例を以下のとおり詳細説明する。
【実施例】
【０００７】
図１ないし３を参照する。本考案のサージ電流とパルス電圧抑制機能の省電力カードは、ケース体１０と、複数の感知素子２０と、を含む。
【０００８】
ケース体１０は略扁平状を形成し、ケース体１０の上部壁面と、底部壁面の面積がケース体１０の側壁表面の面積より大きい。ケース体１０が中空状の空間を有する。ケース体１０の外壁は導電性を有しない部材より構成される。
【０００９】
好ましくは、ケース体１０の上部壁面と底部壁面をプラスチックシートより構成し、ケース体１０側壁の表面をスポンジ部材より構成されることが良い。
【００１０】
そのうち、取り付けるスイッチの大きさにより、ケース体１０の大きさを調整し、ケース体１０に充分な感知面積を与える。
【００１１】
複数の感知素子２０をケース体１０の中空状の空間に収容して、係る中空状の空間をいっぱいに充填する。複数の感知素子２０によって、サージ電流とパルス電圧とを抑制し、電流の安定化効果を達成する。複数の感知素子２０は光波センシングの方式によって、スイッチ回路が導通された瞬間に形成するサージ電流とパルス電圧との変動範囲を軽減させ、スイッチ回路の電流が提供できる正常な稼働電力を影響することなく、回路の電磁波を吸収することによって、サージ電流とパルス電圧との波形の上下変動が大きすぎることに引き起こされる余分な電気エネルギーロスを軽減し、回路の電流を有効に利用し、省電力の目的を達成するとともに、スイッチ投入に引き起こす有害な電磁放射線を軽減できる。
【００１２】
そのうち、複数の感知素子２０は主に球状のセラミック部材より構成される、。
【００１３】
好ましくは、セラミック部材は酸化アルミニウム、酸化クロム、酸化ジルコニウム、酸化ケイ素のうちいずれか少なくとも一種より構成されることが良い。セラミック部材は高い硬度、高い機械強度、耐高温、耐高圧、耐摩耗、耐化学性及び高い絶縁性を有する。そのうち、感知素子２０は精密高圧射出成形法、自動粉末成形法、押出成形法、鋳込み成形法のうちいずれか少なくとも１種から製造される。
【００１４】
使用するときは、ケース体１０をスイッチに取り付ける。図２と図３に示すように、本考案のケース体１０をスイッチ３０の外蓋３２に取り付けられている。スイッチ３０を投入しスイッチ３０の回路が導通したとき、ケース体１０内部の複数の感知素子２０によって、スイッチ３０回路で発生するサージ電流とパルス電圧とを抑制し、電流の波長を整流して、電流の安定化効果を達成する。よって、電流波形の上下が大きすぎて引き起こす余分な電気エネルギーロスを軽減し、回路の電流をより効率良く、スイッチ３０の後部側に接続された電気装置の利用を提供し、回路全体の性能を向上し、省電力の目的が達成される。本考案の手段によれば、およそ１０％ないし３０％の電気エネルギーを節約でき、電気使用コストを軽減できるほかに、回路システム全体の電気利用効率と、電気設備の寿命を長くできる。さらに、余分な電気エネルギーロスに引き起こす有害な電磁放射線を軽減し、周りにいる人員の安全性を向上できる。
【００１５】
本考案は、電流を安定させ、サージ電流とパルス電圧とによる電気エネルギーロスの問題を解消し、システム全体の電気エネルギーの使用効率を向上させ、省電力の目的を達成するとともに、電気使用コストを軽減できる。さらに、従来の降圧による省電力手段にあった、システム稼働の不安定や設置コストの問題も解消される。本考案によれば、電磁放射線の発生が軽減される。さらに、ケース体の構造が単純であり、取り付けが便利、既存設備の電気回路構造を修正する必要はなく、新たな整備コストも必要ない。よって、本考案は、幅広く住宅、商店、事務所、工場、スーパーマーケット、レストラン、旅館など省電力が必要な環境に適用できる。
【００１６】
以上の詳細説明は、本案の好ましい実施例について説明したものに過ぎない。ただし、該実施例は本案になんらの制限を加わるものではない。本案の技術精神に基づく等効果の応用又は変更は、すべて本案の実用新案登録請求の範囲に含めるべきである。
【符号の説明】
【００１７】
１０  ケース体
２０  感知素子
３０  スイッチ
３２  外蓋
【図１】
0003207773.tif 000003
【図２】
0003207773.tif 000004
【図３】
0003207773.tif 000005